(57)【要約】【課題】簡単な手段により同時に読み込まれた表面画像と裏面画像の画像品質が同一になるように処理アルゴリズム等を同じに補正すること。【解決手段】カラー原稿の両面を同時に読み取る機構が搭載されている画像処理装置であって、表面画像を記憶する第１記憶部１０５、裏面画像を記憶する第２記憶部１０６、それぞれ記憶手段に記憶された表裏画像の複数の特定位置の画像データを読み出し比較する画像比較部１０８、この画像比較部１０８の比較結果に基づいて、裏面の読み取り画像データを補正する画像補正部１０９を備えることにより、裏面の読み取り画像を表面の読み取り画像と同じ画質にする。【選択図】        図１
2009218955.tif 000002
【特許請求の範囲】
【請求項１】
カラー原稿の表面および裏面の両面を同時に読み取る両面原稿読取装置を有し、前記両面原稿読取装置で読み取った画像に対して画像処理を実行する画像処理装置であって、
前記両面原稿読取装置で読み取った表面画像を記憶する第１記憶手段と、
前記両面原稿読取装置で読み取った裏面画像を記憶する第２記憶手段と、
前記第１記憶手段および第２記憶手段それぞれに記憶された表面画像、裏面画像の複数の特定位置の画像データを、前記第１記憶手段と前記第２記憶手段から読み出して比較する画像比較手段と、
前記画像比較手段の比較結果に基づいて、裏面の読み取り画像データのＭＴＦ補正を実行する画像補正手段と、
を備えることを特徴とする画像処理装置。
【請求項２】
さらに、不揮発性の第３記憶手段を備え、前記画像補正手段は、補正データを前記第３記憶手段に記憶し、読み取り動作毎に、前記第３記憶手段から補正データを読み出して補正することを特徴とする請求項１に記載の画像処理装置。
【請求項３】
本画像処理装置の動作を設定するための操作パネルを備え、前記操作パネルから前記画像比較手段によって比較される表裏画像の複数の特定位置を設定することを特徴とする請求項１に記載の画像処理装置。
【請求項４】
さらに、不揮発性の第４記憶手段を備え、前記第３記憶手段の補正データを更新する場合に更新前の補正データを前記第４記憶手段に転送し、新前の補正データをバックアップすることを特徴とする請求項１に記載の画像処理装置。
【請求項５】
さらに、
読取画像を補正するための内部パターンを出力するパターン生成手段と、
前記パターン生成手段で生成された読取画像を補正するための内部パターンを記録紙に出力する画像出力手段と、
を備えることを特徴とする請求項１に記載の画像処理装置。
【請求項６】
前記画像出力手段は記録紙の両面に画像を出力する両面出力機構を備えている場合は、前記の内部パターンは記録紙の両面に描画し、記録紙の片面に画像を出力する片面出力機構のみを備える場合には前記内部パターンは記録紙の片面にのみ描画することを特徴とする請求項５に記載の画像処理装置。
【請求項７】
前記内部パターンが表面と裏面の両面に出力されている場合には、前記両面原稿読取装置にて表面を前記第１記憶手段に、裏面を前記第２記憶手段に同時に記憶し、前記内部パターンが片面に出力されている場合には、１回目の読み取りで表面を前記第１記憶手段に記憶し、２回目の読み取りで裏面を前記第２記憶手段に記憶することを特徴とする請求項６に記載の画像処理装置。
【請求項８】
前記画像出力手段が両面出力機構を備えている場合、出力パターンの描画位置を記録紙の表側と裏側で重ならないように出力することを特徴とする請求項６に記載の画像処理装置。
【発明の詳細な説明】
【技術分野】
【０００１】
本発明は、原稿の表面裏面を同時に読み取ることができる読み取り装置を備えた画像処理装置に関し、より詳細には読み取った表面画像と裏面画像の画質を統一する画像処理装置に関するものである。
【背景技術】
【０００２】
従来、本技術は両面原稿を同時に読み取ることができる画像両面読み取り装置であって、原稿の表面と裏面でそれぞれ個別の画像読み取り条件で同時に読み取ることにより両面原稿画像のそれぞれ異なる画像品質に最適な画像処理および画像圧縮処理を施す技術が開示されている（たとえば、特許文献１参照）。
【０００３】
【特許文献１】特開２００７−８１６８７号公報
【発明の開示】
【発明が解決しようとする課題】
【０００４】
しかしながら、上記に示されるような従来の技術にあっては、画像品質を両面各々個別に判定し、それに基いた最適な画像処理や画像圧縮等を施すために表面裏面の２系統の処理が必要となってしまう。たとえば、この２系統の処理を実施するためには２系統のアルゴリズムが必要であったり、そのアルゴリズムを実現するために回路が２系統必要であったり、また、処理回路は一つであったとしても２系統の処理を実現させるために切り換え制御が頻繁に発生し複雑な制御となってしまうという問題点があった。
【０００５】
本発明は、上記に鑑みてなされたものであって、簡単な手段により同時に読み込まれた表面画像と裏面画像の画像品質が同一になるように処理アルゴリズム等を同じに補正することを目的とする。
【課題を解決するための手段】
【０００６】
上述した課題を解決し、目的を達成するために、請求項１にかかる発明は、カラー原稿の表面および裏面の両面を同時に読み取る両面原稿読取装置を有し、前記両面原稿読取装置で読み取った画像に対して画像処理を実行する画像処理装置であって、前記両面原稿読取装置で読み取った表面画像を記憶する第１記憶手段と、前記両面原稿読取装置で読み取った裏面画像を記憶する第２記憶手段と、前記第１記憶手段および第２記憶手段それぞれに記憶された表面画像、裏面画像の複数の特定位置の画像データを、前記第１記憶手段と前記第２記憶手段から読み出して比較する画像比較手段と、前記画像比較手段の比較結果に基づいて、裏面の読み取り画像データのＭＴＦ補正を実行する画像補正手段と、を備えることを特徴とする。
【０００７】
また、請求項２にかかる発明は、さらに、不揮発性の第３記憶手段を備え、前記画像補正手段は、補正データを前記第３記憶手段に記憶し、読み取り動作毎に、前記第３記憶手段から補正データを読み出して補正することを特徴とする。
【０００８】
また、請求項３にかかる発明は、本画像処理装置の動作を設定するための操作パネルを備え、前記操作パネルから前記画像比較手段によって比較される表裏画像の複数の特定位置を設定することを特徴とする。
【０００９】
また、請求項４にかかる発明は、さらに、不揮発性の第４記憶手段を備え、前記第３記憶手段の補正データを更新する場合に更新前の補正データを前記第４記憶手段に転送し、新前の補正データをバックアップすることを特徴とする。
【００１０】
また、請求項５にかかる発明は、さらに、読取画像を補正するための内部パターンを出力するパターン生成手段と、前記パターン生成手段で生成された読取画像を補正するための内部パターンを記録紙に出力する画像出力手段と、を備えることを特徴とする。
【００１１】
また、請求項６にかかる発明は、前記画像出力手段は記録紙の両面に画像を出力する両面出力機構を備えている場合は、前記の内部パターンは記録紙の両面に描画し、記録紙の片面に画像を出力する片面出力機構のみを備える場合には前記内部パターンは記録紙の片面にのみ描画することを特徴とする。
【００１２】
また、請求項７にかかる発明は、前記内部パターンが表面と裏面の両面に出力されている場合には、前記両面原稿読取装置にて表面を前記第１記憶手段に、裏面を前記第２記憶手段に同時に記憶し、前記内部パターンが片面に出力されている場合には、１回目の読み取りで表面を前記第１記憶手段に記憶し、２回目の読み取りで裏面を前記第２記憶手段に記憶することを特徴とする。
【００１３】
また、請求項８にかかる発明は、前記画像出力手段が両面出力機構を備えている場合、出力パターンの描画位置を記録紙の表側と裏側で重ならないように出力することを特徴とする。
【発明の効果】
【００１４】
本発明にかかる画像処理装置は、カラー原稿の表面および裏面の両面を同時に読み取る両面原稿読取装置を有し、前記両面原稿読取装置で読み取った画像に対して画像処理を実行する画像処理装置であって、前記両面原稿読取装置で読み取った表面画像を記憶する第１記憶手段と、前記両面原稿読取装置で読み取った裏面画像を記憶する第２記憶手段と、前記第１記憶手段および第２記憶手段それぞれに記憶された表面画像、裏面画像の複数の特定位置の画像データを、前記第１記憶手段と前記第２記憶手段から読み出して比較する画像比較手段と、前記画像比較手段の比較結果に基づいて、裏面の読み取り画像データのＭＴＦ補正を実行する画像補正手段と、を備えることにより、裏面の読み取り画像を表面の読み取り画像と同じ画質にすることができるという効果を奏する。
【発明を実施するための最良の形態】
【００１５】
以下に添付図面を参照して、この発明にかかる画像処理装置の最良な実施の形態を詳細に説明する。
【００１６】
（実施の形態）
図１は、本発明の実施の形態にかかる画像処理装置を含むシステム構成を示すブロック図である。この図１において、符号１０１は原稿の表面の画像を読み込む表面読取部、符号１０２は原稿の裏面の画像を読み込む裏面読取部、符号１０３は表面読取部１０１固有の特性を後段処理で扱える形式に変換する表面読取Ｉ／Ｆ部、符号１０４は裏面読取部１０２固有の特性を後段処理で扱える形式に変換する裏面読取Ｉ／Ｆ部、符号１０５は表面読取部１０１で読み取った表面画像を記憶する第１記憶部、符号１０６は裏面読取部１０２で読み取った裏面画像を記憶する第２記憶部、符号１０７は操作者が本装置の動作を指定したり、必要な設定をしたりできる操作パネルである。
【００１７】
また、符号１０８は第１記憶部１０５と第２記憶部１０６の画像を比較し裏面画像補正データを生成する画像比較部、符号１０９は画像比較部１０８で求められた補正データにより裏面画像を補正する画像補正部、符号１１０は現在使用する補正データを記憶しておくための第３記憶部、符号１１１は前回使用していた補正データを記憶しておくための第４記憶部、符号１１２は表面画像と裏面画像に所定の画像処理を施す画像処理部、符号１１３は本発明に係る内部パターン画像を生成するパターン生成部、符号１１４は後段へ出力する内部パターンか表面画像か裏面画像を選択するセレクタ、符号１１５は前段からの画像データを記録紙等に出力する画像形成部である。
【００１８】
つぎに、以上のように構成された図１の画像処理装置の画像の流れを説明する。両面原稿の表面裏面を同時に読み込み、表面画像のＲＧＢ画像データを第１記憶部１０５に、裏面画像のＲＧＢ画像データを第２記憶部１０６に記憶する。このとき、表面読取部１０１から読み込まれた画像は表面読取Ｉ／Ｆ部１０３により後段処理の特性に適合した変換がなされ第１記憶部１０５に記憶される。また、同様に裏面読取部１０２から読み込まれた画像は裏面読取Ｉ／Ｆ部１０４により後段処理の特性にあった変換がなされ第２記憶部１０６に記憶される。これにより、表面読取部１０１と裏面読取部１０２の機械的、電気的に異なる特性を互いに後段処理に合せるように特性変換を行い表面と裏面で同様の処理を施すことができるようになる。
【００１９】
つぎに画像比較部１０８は、第１記憶部１０５、第２記憶部１０６に記憶された表面のＲＧＢ画像データと裏面のＲＧＢ画像データの複数の特定位置の画像データを読み出して比較する。この複数の特定位置は、あらかじめ登録された位置であってもいいし、操作パネル１０７から操作者によって指定された位置でもよい。
【００２０】
図２は、単位当たりの線数を違えた複数の縦万線と横万線パターンを配置した原稿である。それぞれの隣り合った縦万線パターンと横万線パターンは同じ線数となるように配置している(ただし、最下段で述べたパターンは除く。べたパターンについては後述する)。本画像処理装置は、このパターンが両面に描画された原稿を前記表面読取部１０１、裏面読取部１０２から読み取り、第１記憶部１０５、第２記憶部１０６に記憶し、画像比較部１０８によって、表面裏面のＭＴＦ（Ｍｏｄｕｌａｔｉｏｎ  Ｔｒａｎｓｆｅｒ  ｆｕｎｃｔｉｏｎ）レベルの比較を行なう。
【００２１】
以下に主走査方向のＭＴＦレベルの算出方法を示す。図３に示す縦万線パターンから主走査方向のＭＴＦを計算する。計算は前記にあらかじめ指定されている特定位置の特定のエリア内のＭＴＦを求める。図３の点線で示すエリアがＭＴＦを求める特定エリアである。このエリア内の万線方向(副走査方向)のＧ(グリーン)画像データの平均値を列毎に求める。図４は特定エリア内の万線パターンの拡大図である。この図で示すように各画素Ｙの縦方向Ｊ個分の画素の読取値から列毎の平均値を算出する。この計算式を数１に示す。Ｙａは各列毎の読取値の平均値である。Ｎは特定エリア内の１列分の画素数を示す。Ｙｊは特定エリア内の１列分の読取値を示している。
【００２２】
【数１】
2009218955.tif 000003
【００２３】
つぎに、特定エリア内の列毎の読取値の平均値から、最大読取値と最小読取値を求める。列毎の読取値の平均値が隣接画像よりも大きい場合は極大値(Ｈｎ)、小さい場合には極小値(Ｌｍ)として検出し、これらの極大値と極小値それぞれの移動平均値から最大値Ｍａｘと最小値Ｍｉｎを算出する。この計算式を数２に示す。Ｈｎは前記極大値、Ｌｍは極小値を示し、Ｍａｘ(Ｙ)は最大となる列の読取値、Ｍｉｎ(Ｙ)は最小となる列の読取値を示す。
【００２４】
【数２】
2009218955.tif 000004
【００２５】
同様に横万線から副走査方向のＭＴＦ計算も求める。図では示さないが横万線パターンの特定エリアからＭＴＦを求める。このエリア内の万線方向(主走査方向)のＧ(グリーン)画像データの平均値を列毎に求める。図５は特定エリア内の万線パターンの拡大図である。この図で示すように各画素Ｙの横方向Ｉ個分の画素の読取値からライン毎の平均値を算出する。この計算式を数３に示す。Ｘａは各ライン毎の読取値の平均値である。Ｎは特定エリア内の１ライン分の画素数を示す。Ｘｉは特定エリア内の１ライン分の読取値を示している。
【００２６】
【数３】
2009218955.tif 000005
【００２７】
つぎに、特定エリア内のライン毎の読取値の平均値から、最大読取値と最小読取値を求める。ライン毎の読取値の平均値が隣接画像よりも大きい場合は極大値(Ｈｎ)、小さい場合には極小値(Ｌｍ)として検出し、これらの極大値と極小値それぞれの移動平均値から最大値Ｍａｘと最小値Ｍｉｎを算出する。この計算式を数４に示す。Ｈｎは前記極大値、Ｌｍは極小値を示し、Ｍａｘ(Ｘ)は最大となるラインの読取値、Ｍｉｎ(Ｘ)は最小となるラインの読取値を示す。
【００２８】
【数４】
2009218955.tif 000006
【００２９】
つぎに、図２で示す補正用シートの最下段の左側に白べたのパターン、右側に黒べたのパターンが描画されており、白べたの特定エリアの読取値の平均値をＷ、黒べたのパターンの読取値の平均値をＢとする。このときのＭａｘ、Ｍｉｎ、Ｗ（地肌読取レベル）、Ｂ（黒べた読取レベル）の関係を図６が示している。ＭＴＦは、べたパターンのＷ（地肌読取レベル）とＢ（黒べた読取レベル）との差に対して、ＭａｘとＭｉｎとの差がどれくらいの割合になるかによって下記計算式によって算出する。この計算式ではＭＴＦは％で示され１００％に近いほどＭＴＦが良い方向であるといえる。
【００３０】
ＭＴＦ＝（Ｍａｘ−Ｍｉｎ）／（Ｗ−Ｂ）×１００
【００３１】
画像比較部１０８の内部処理を図７のフローチャートを用いて、まず主走査方向の処理について説明する。主走査方向の処理は前記読み込んだ図２の補正シートの１〜８の万線パターン画像を用いる。
【００３２】
図７において、まず、図２の補正シートに示す縦万線パターン画像１を読み込み（ステップＳ１１、Ｓ１２）、表面の万線パターンの主走査方向のＭＴＦを計算し記憶しておく（ステップＳ１３）。続いて、表面の万線パターンの主走査方向のＭＴＦを計算し記憶しておく（ステップＳ１４）。つぎに表面と裏面の主走査方向のＭＴＦを比較し（ステップＳ１５）、この比較結果が同等レベルであるか否かを判断する（ステップＳ１６）。ここでこの比較結果が同等レベルでないと判断した場合、主走査方向の強調フィルタの強度をアップし（ステップＳ１７）、裏面万線パターンを空間フィルタ処理して（ステップＳ１８）、ステップＳ１４に戻る。一方、ステップＳ１６において比較結果が同等レベルであると判断した場合、万線パターンを一つずらして（ステップＳ１９）、ステップＳ１２に進み以降の処理を実行する。このように図２の補正シートに示す縦万線パターン画像１〜８を順次読み込み主走査方向のＭＴＦを計算し以降の処理を順次行う。
【００３３】
すなわち、図７において、最初に注目する万線パターン(ＰＴＮ)を図２の１の万線パターンとして、この万線パターンの表側の主走査のＭＴＦ値を計算して記憶しておく。つぎに同様にこの万線パターンの裏側の主走査のＭＴＦ値を計算し、先に記憶しておいた表側の主走査方向のＭＴＦ値との比較を行う。このときのＭＴＦの計算方法は前述した通りである。また、このときの比較方法は、たとえば裏面のＭＴＦ値が表面のＭＴＦ値の±３％に入っている場合と同等とするとか、±５％に入っている場合に同等とするというようにあらかじめ決めておけばよい。
【００３４】
この比較によって、両者が同等であると判断された場合は、比較する万線パターン(ＰＴＮ)をＰＴＮ＝ＰＴＮ＋１となるように一つずらし、それを注目パターンとして再度、表面と裏面のＭＴＦ値を計算し同等であるかどうかを比較する。また、このとき、同等でないと判断された場合、主走査方向の強調フィルタの強度をアップして、裏面の注目パターンの画像データに前記主走査の強調フィルタ処理を施す。
【００３５】
その後さらに強調フィルタ処理を施された裏面画像のＭＴＦ値を計算し、前記保持している表面のＭＴＦ値と比較する。この比較結果によって、同等であれば前記のように注目万線パターンを一つずらして同様の処理を行う。また同等でなければ前記のように強調フィルタの強度をアップして空間フィルタ処理を施し、再度表面のＭＴＦ値と比較する。このようにして、この実施の形態では８つの主走査方向のＭＴＦを比較する処理が終わるまで実行し、最終的に設定された強度を持つ強調フィルタが表面と裏面の主走査方向のＭＴＦ値を同等にする主走査空間フィルタ処理となる。
【００３６】
また、同様に副走査方向についても、前記読み込んだ図２の補正シートの９〜１６の万線パターン画像を用いる。この処理を図８のフローチャートに示す。図８に示すように、図２の補正シートに示す横万線パターン画像９を読み込み（ステップＳ２１、Ｓ２２）、表面の万線パターンの副走査方向のＭＴＦを計算し記憶しておく（ステップＳ２３）。続いて、表面の万線パターンの副走査方向のＭＴＦを計算し記憶しておく（ステップＳ２４）。つぎに表面と裏面の副走査方向のＭＴＦを比較し（ステップＳ２５）、この比較結果が同等レベルであるか否かを判断する（ステップＳ２６）。ここでこの比較結果が同等レベルでないと判断した場合、副走査方向の強調フィルタの強度をアップし（ステップＳ２７）、裏面万線パターンを空間フィルタ処理して（ステップＳ２８）、ステップＳ１４に戻る。一方、ステップＳ２６において比較結果が同等レベルであると判断した場合、万線パターンを一つずらして（ステップＳ２９）、ステップＳ２２に進み以降の処理を実行する。このように図２の補正シートに示す横万線パターン画像９〜１６を順次読み込み副走査方向のＭＴＦを計算し以降の処理を順次行う。
【００３７】
すなわち、図８では、最初に注目する万線パターン(ＰＴＮ)を図２の９の万線パターンとして、この万線パターンの表側の副走査のＭＴＦ値を計算して記憶しておく。つぎに同様にこの万線パターンの裏側の副走査のＭＴＦ値を計算し、先に記憶しておいた表側の副走査ＭＴＦ値との比較を行う。このときのＭＴＦの計算方法も前述した通りである。
【００３８】
この比較によって、両者が同等であると判断された場合は、比較する万線パターン(ＰＴＮ)をＰＴＮ＝ＰＴＮ＋１となるように一つずらし、それを注目パターンとして再度、表面と裏面のＭＴＦ値を計算し同等であるかどうかを比較する。またこのとき、同等でないと判断されたとき、副走査方向の強調フィルタの強度をアップして、裏面の注目パターンの画像データに前記副走査の強調フィルタ処理を施す。
【００３９】
その後さらに強調フィルタ処理を施された裏面画像のＭＴＦ値を計算し、前記保持している表面のＭＴＦ値と比較する。この比較結果によって、同等であれば前記のように注目万線パターンを一つずらして同様の処理を行う。また同等でなければ前記のように副走査強調フィルタの強度をアップして空間フィルタ処理を施し、再度表面のＭＴＦ値と比較する。このようにして、実施例では８つの副走査方向のＭＴＦを比較する処理が終わるまで実施し、最終的に設定された強度を持つ強調フィルタが表面と裏面の副走査方向のＭＴＦ値を同等にする副走査空間フィルタ処理となる。
【００４０】
このようにして、表面と裏面のＭＴＦを同等にする主走査の空間フィルタ、副走査の空間フィルタのパラメータが導き出される。
【００４１】
つぎに、画像補正部１０９は、前記導き出された主副の空間フィルタ処理パラメータによって、裏面読取部１０２から読み込まれた裏面の画像データに主走査のフィルタ処理、副走査のフィルタ処理を施す。第３記憶部１１０はＭＴＦ補正用の前記空間フィルタのパラメータとして保持しておくための記憶手段である。この記憶手段は不揮発性メモリであり、電源を落としてもパラメータは保持され、このパラメータを使用することで、その後のＭＴＦレベルは、表画像と裏画像で同等にすることができる。
【００４２】
第４記憶部１１１は、前回の補正パラメータを保持しておく記憶手段である。たとえば前記ＭＴＦ補正によって空間フィルタのパラメータが導き出されたけれども、読取手段のばらつき、原稿が正しくセットされていなかった等で、その後の読み取りの画像に問題が出るようになってしまった場合、前回の処理パラメータに戻すことができるように前回のパラメータを記憶させておくことができる。
【００４３】
符号１１２は画像処理手段である前段の画像補正部１０９で裏面画像が表面画像と同等になるように補正されているので、画像処理部１１２としては表面と裏面で画像処理内容を大きく変えることなく処理することができる。符号１１３はパターン生成部である。前記図２の補正シートは、あらかじめ補正用原稿として作成しておいても構わないが、このパターン生成部１１３からパターン生成することで、別途補正用シートを作成しておく必要がなくなる。
【００４４】
符号１１５は画像形成部である。画像形成部１１５には、両面印刷が可能なもの可能でないものがあり、前記表面画像、補正後の裏面画像を両面印刷ができないものは２枚の片面出力紙に、両面印刷機構があるものは１枚の両面出力紙に出力できる。
【００４５】
また、操作パネル１０７から前記比較処理を行うためのパターンを読み込む特定位置を設定することで、読取手段で読み取り基準が異なることによる読み込み位置の微調整を行うことができる。図９にこのときの操作パネル１０７の画面を示す。たとえば原稿の左上端を基準として縦方向、横方向のパターン特定位置までの距離を長さで指定することも可能である。図１０は、本発明にかかる比較処理を実施し新規補正パラメータを求めるか、前回求めた補正パラメータに戻すかを選択する操作画面である。操作パネル１０７から選択することで、新規パラメータか前回パラメータかを選ぶことができる。
【００４６】
このときのフローチャートを図１１に示す。本比較処理を実施し新しいパラメータを求めるか、前回の補正パラメータに戻すかを選択し（ステップＳ３１、Ｓ３２）、処理を実行し新しいパラメータにする場合、第３記憶部１１０にある現在の補正パラメータをバックアップ用の第４記憶部１１１に転送し（ステップＳ３３）、新たにパラメータを導き出す処理を実行し（ステップＳ３４）、その新たなパラメータを第３記憶部１１０に記憶する（ステップＳ３５）。また、前回の補正パラメータに戻す場合は、第４記憶部１１１から補正パラメータを読み出し、第３記憶部１１０にオーバーライトすることで、前回の補正パラメータを現在の補正パラメータに置き換えることができる（ステップＳ３６）。
【００４７】
また、パターン生成部１１３は、画像形成部１１５が両面出力機構（たとえば、通常知られているようなスイッチバック搬送機構による両面搬送装置）を備えている場合には、出力紙の両面に図２で示すような補正シートを出力し、その出力補正シートで前記補正処理を実行することができる。第１記憶部１０５に記憶されている表面画像を出力するか、第２記憶部１０６に記憶されている裏面画像を出力するか、内部のパターン生成部１１３からの内部パターンを出力するかはセレクタ１１４の切り替えで選択する。
【００４８】
また、両面機構を備えた画像形成部１１５からパターン生成部１１３が両面に補正用の内部パターンを出力する場合に、表面の補正パターンと裏面の補正パターンが重ならないように出力することを特徴としている。表面と裏面の補正パターンが重なって出力された場合、裏写りの影響で、正確な補正パラメータが算出できないからである。図１２の点線部は裏面の補正パターンを示している。このように配置することで裏写りが発生したとしても表裏でお互いに影響することから回避できる。この場合、補正パターンの特定位置の指定は、表面のパターン位置に対して、均一のオフセットを付加することで裏面のパターン位置を指定することができ、簡単な処理構成で実現することができる。
【００４９】
したがって、以上発明してきた実施の形態によれば、下記に列記する効果を奏する。第１に、カラー原稿の両面を同時に読み取る機構が搭載されている画像処理装置であって、表面画像を記憶する第１記憶部１０５、裏面画像を記憶する第２記憶部１０６、それぞれ記憶手段に記憶された表裏画像の複数の特定位置の画像データを読み出し比較する画像比較部１０８、この画像比較部１０８の比較結果に基づいて、裏面の読み取り画像データを補正する画像補正部１０９を備えることにより、裏面の読み取り画像を表面の読み取り画像と同じ画質にすることができる。
【００５０】
第２に、さらに不揮発性の第３記憶部１１０を備え、画像補正部１０９は補正データを第３記憶部１１０に記憶し、読み取り動作毎に、この第３記憶部１１０から補正データを読み出して補正することにより、上記で求めた補正データをその後の両面読み取り処理で適切にすばやく裏面画像の補正処理を行なえる。
【００５１】
第３に、本画像処理装置の動作を指示できる操作パネル１０７を備え、画像比較部１０８によって比較される表裏画像の複数の特定位置をこの操作パネル１０７から設定できることにより、補正用のシートを特定のシートに決めてしまうことなく、そのときの読み込みたい原稿に応じて選択することができ、さらに両面の補正用シートで補正を実施する場合、表面と裏面とで補正パターンが異なっても、操作パネル１０７からの設定により補正のための読み取り位置を異ならせることができ、柔軟に補正用シートに対応できる。
【００５２】
第４に、不揮発性の第４記憶部１１１を備え、第３記憶部１１０の補正データを更新する場合に更新前の補正データを第４記憶部１１１に転送しバックアップとして記憶させておくことができることにより、上記操作パネル１０７から設定した特定位置を間違えたことにより補正が適切にできなかった場合などに、前回の補正データが記憶されている第４記憶部１１１の内容を第３記憶部１１０に書き戻すことで前回の補正処理に戻すことができ、うまく補正ができないことによる無駄な時間を削減できる。
【００５３】
第５に、読み込み原稿とする目的で、読取画像補正内部パターンを出力するパターン生成部１１３を有し、このパターン生成部１１３で生成された読取画像補正内部パターンを出力紙に出力する画像形成部１１５を備えたことにより、手元に適切な補正用シートがない場合であっても本発明の画像処理装置から出力したパターンが描画された記録紙を補正用シートとすることができ、適切な補正ができる。
【００５４】
第６に、画像形成部１１５は両面出力機構（両面搬送ユニット）を備えている場合は前記の内部パターンは記録紙の両面に描画し、片面出力機構しかない場合には前記内部パターンは記録紙の片面にのみ描画することにより、前記補正用シートを両面出力機構の有無に関係なく出力でき、出力装置の両面オプションに寄らないという効果がある。
【００５５】
第７に、上記において、内部パターンが両面出力されている場合には、カラー両面同時読み取り機構にて表面を第１記憶部１０５に、裏面を第２記憶部１０６に同時に記憶すること、前記内部パターンが片面出力されている場合には、１回目の読み取りで第１記憶部１０５に記憶し、２回目の読み取りで第２記憶部１０６に記憶することにより、両面出力機構の有無に関係なく、前記両面読み取り時の読み取り画像の補正ができる。
【００５６】
第８に、画像形成部１１５が両面出力機構を備えている場合、出力パターンの描画位置を出力紙の表側と裏側で重ならないように出力することにより、補正時に補正用シートの裏面の画像が表面の画像に、また表面の画像が裏面の画像にそれぞれ影響がないようにすることができ、適切な補正ができる。
【産業上の利用可能性】
【００５７】
以上のように、本発明にかかる画像処理装置は、原稿の表面裏面を同時に読み取ることができる読み取り装置を備えた画像処理装置に有用であり、特に、カラーデジタル複合機などにおいて読み取った表面画像と裏面画像の画質を統一する画像処理装置やシステム、方法に適している。
【図面の簡単な説明】
【００５８】
【図１】本発明の実施の形態にかかる画像処理装置を含むシステム構成を示すブロック図である。
【図２】単位当たりの線数を違えた複数の縦万線と横万線パターンを配置した原稿例を示す説明図である。
【図３】縦万線パターンから主走査方向のＭＴＦを計算する場合における特定エリア例を示す説明図である。
【図４】特定エリア内の縦万線パターンの拡大図である。
【図５】特定エリア内の横万線パターンの拡大図である。
【図６】Ｍａｘ、Ｍｉｎ、Ｗ（地肌読取レベル）、Ｂ（黒べた読取レベル）の関係を示すグラフである。
【図７】画像比較部の主走査方向の処理例を示すフローチャートである。
【図８】画像比較部の副走査方向の処理例を示すフローチャートである。
【図９】操作パネルから比較処理を行うためのパターンを読み込む特定位置を設定する操作パネルの画面例を示す説明図である。
【図１０】本発明にかかる比較処理を実施し新規補正パラメータを求めるか、前回求めた補正パラメータに戻すかを選択する操作画面例を示す説明図である。
【図１１】図１０における処理動作を示すフローチャートである。
【図１２】両面機構を備えた画像形成部における裏面の補正パターン（点線部）を示す説明図である。
【符号の説明】
【００５９】
１０１  表面読取部
１０２  裏面読取部
１０５  第１記憶部
１０６  第２記憶部
１０７  操作パネル
１０８  画像比較部
１０９  画像補正部
１１０  第３記憶部
１１１  第４記憶部
１１２  画像処理部
１１３  パターン生成部
１１５  画像形成部
【図１】
2009218955.tif 000007
【図２】
2009218955.tif 000008
【図３】
2009218955.tif 000009
【図４】
2009218955.tif 000010
【図５】
2009218955.tif 000011
【図６】
2009218955.tif 000012
【図７】
2009218955.tif 000013
【図８】
2009218955.tif 000014
【図９】
2009218955.tif 000015
【図１０】
2009218955.tif 000016
【図１１】
2009218955.tif 000017
【図１２】
2009218955.tif 000018